【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
複数の異なる機能タスクをプラント内の設備資産に対して実行する携帯型フィールド保守ツールシステムであって、前記携帯型フィールド保守ツールシステムは：
コンピュータプロセッサと、前記コンピュータプロセッサからの情報を表示する電子ディスプレイと、前記コンピュータプロセッサ及び前記電子ディスプレイに給電する電源と、携帯ユニットとして整形され、かつサイズ設定される第１ハウジングに操作可能に一括支持される複数の第１電気コネクタと、を備える手持ち式基材と、
前記コンピュータプロセッサからアクセス可能な複数のソフトウェアモジュールであって、各ソフトウェアモジュールが、異なる機能タスクをプロセス制御システムのフィールドデバイスに対して実行するように構成される、前記複数のソフトウェアモジュールと、
前記手持ち式基材に取り付けられる複数の機能モジュールであって、各機能モジュールが、前記第１電気コネクタに着脱可能に連結される第２電気コネクタ集合体と、前記機能タスクを実行するように構成されるコンピュータ制御回路と、を備え、前記第２電気コネクタ集合体及び前記コンピュータ制御回路が、ユニットとして第２ハウジングに一括支持される、前記複数の機能モジュールと、を備え、
各機能モジュールは、前記手持ち式基材に、前記第２電気コネクタ集合体が前記第１電気コネクタ群のうちの１つ以上の電気コネクタに連結されるように着脱可能かつ操作可能に個別に取り付けられ、
各機能モジュールは、前記手持ち式基材に操作可能に取り付けられると、前記ソフトウェアモジュール群のうちの少なくとも１つの該当するソフトウェアモジュールとやりとりを行なって、前記機能タスク群のうち選択した機能タスクを実行する、携帯型フィールド保守ツールシステム。
【請求項２】
前記機能モジュール群のうちの少なくとも１つの機能モジュールは、少なくとも１つのインターフェース接続を含み、前記少なくとも１つのインターフェース接続がフィールドデバイスに操作可能に接続されて前記機能タスク群のうちの少なくとも１つの機能タスクを実行する、請求項１に記載の携帯型フィールド保守ツールシステム。
【請求項３】
前記手持ち式基材及び各機能モジュールは、前記手持ち式基材に操作可能に取り付けられると、本質的に安全である、請求項１に記載の携帯型フィールド保守ツールシステム。
【請求項４】
前記コンピュータプロセッサは、前記複数の機能モジュールのうちいずれの機能モジュールが、前記手持ち式基材に操作可能に取り付けられるかを認識するように構成され、いずれの機能モジュールが前記手持ち式基材に操作可能に取り付けられるかによって異なるが、事前選択ソフトウェアモジュール部分集合を選択的に有効にするように構成される、請求項１に記載の携帯型フィールド保守ツールシステム。
【請求項５】
前記手持ち式基材は、前記機能モジュール群のうちの１つよりも多くの機能モジュールに操作可能に同時に取り付けられるように構成される、請求項１に記載の携帯型フィールド保守ツールシステム。
【請求項６】
前記機能モジュール群のうちの１つの機能モジュールは、デバイス通信装置、ループ給電及び検証機能、データ収集装置、振動データ収集装置、キャリブレータ、又は、カメラの少なくとも１つを備える、請求項１に記載の携帯型フィールド保守ツールシステム。
【請求項７】
前記機能モジュールは、HARTインターフェース接続集合体及びFieldbusインターフェース接続集合体を備える、請求項１に記載の携帯型フィールド保守ツ
【請求項８】
タスクをプラント内の設備資産に対して実行する携帯型手持ち式フィールド保守ツールであって、前記携帯型フィールド保守ツールは：
手持ち式基材であって、前記手持ち式基材が：
携帯ユニットとして整形され、かつサイズ設定される第１ハウジングであって、前記第１ハウジングが、内周部及び外周部を有する、前記第１ハウジングと、
前記第１ハウジングの前記内周部の内部に支持されるコンピュータプロセッサと、
前記第１ハウジングに支持されて前記コンピュータプロセッサからの情報を前記第１ハウジングの前記外周部に表示する電子ディスプレイと、
前記第１ハウジング内に支持され、かつ前記コンピュータプロセッサ及び前記電子ディスプレイに給電する電源と、
前記第１ハウジングに支持され、かつ前記外周部から操作可能に手が届く第１電気コネクタ集合体と、を備える、前記手持ち式基材と、
前記コンピュータプロセッサからアクセス可能なソフトウェアモジュールであって、前記ソフトウェアモジュールが、所定の機能タスクをプラント内の設備資産に対して実行するように構成される、前記ソフトウェアモジュールと、
前記手持ち式基材に着脱可能に装着できる機能モジュールと、を備え、前記機能モジュールは：
前記第１ハウジングの外側表面の一部に嵌まり合う外側嵌合面を有することにより、前記機能モジュールが前記手持ち式基材に操作可能に装着されると前記第１ハウジングの前記外側表面に係止嵌合する第２ハウジングと、
前記第２ハウジングに支持され、かつ前記機能モジュールが前記手持ち式基材に操作可能に装着されると前記第１電気コネクタ集合体に操作可能に連結される、第２電気コネクタ集合体と、
前記第２ハウジングに支持される少なくとも１つのインターフェース接続であって、前記少なくとも１つのインターフェース接続が、前記フィールドデバイスに操作可能に接続されて少なくとも１つの所定の機能タスクを実行する、前記少なくとも１つのインターフェース接続と、
前記コンピュータプロセッサに操作可能に接続されて、前記機能モジュールが前記手持ち式基材に操作可能に装着されると前記所定の機能タスクを実行するコンピュータ制御回路と、を備え、
前記機能モジュールが前記手持ち式基材に操作可能に装着され、かつ前記第２インターフェース接続が前記設備資産に操作可能に接続されると、前記機能モジュールが、前記ソフトウェアモジュールとやりとりを行なって前記所定の機能タスクを実行する、携帯型手持ち式フィールド保守ツール。
【請求項９】
前記機能モジュールは、HARTインターフェース接続集合体及びFieldbusインターフェース接続集合体を含む、請求項８に記載の携帯型フィールド保守ツール。
【請求項１０】
前記手持ち式基材及び前記機能モジュールは、操作可能に装着されて合体すると、本質的に安全である、請求項８に記載の携帯型フィールド保守ツール。
【請求項１１】
前記手持ち式基材及び前記機能モジュールは、操作可能に接続されて合体している状態で、または互いに切り離されている状態で、本質的に安全である、請求項１０に記載の携帯型フィールド保守ツール。
【請求項１２】
前記機能モジュールは、前記手持ち式基材に操作可能に取り付けられると、測定計測機器を構成して設定するように構成される、請求項８に記載の携帯型フィールド保守ツール。
【請求項１３】
前記測定計測機器は圧力トランスミッタである、請求項１２に記載の携帯型フィールド保守ツール。
【請求項１４】
前記機能モジュールは、前記手持ち式基材に操作可能に取り付けられると、温度トランスミッタをキャリブレーションする、フィールドデバイスの電気パラメータを測定する、フィールドデバイスの振動を検出する、又は、フィールドデバイスの点検復旧を図るためのデバイス診断を実行する、ように構成されている、請求項８に記載の携帯型フィールド保守ツール。
【請求項１５】
前記手持ち式基材は、前記第１ハウジングに支持されるユーザインターフェースを備える、請求項８に記載の携帯型フィールド保守ツール。
【請求項１６】
前記コンピュータプロセッサは、前記機能モジュールを認識するように構成され、かつ複数の異なるソフトウェアモジュールの中の前記ソフトウェアモジュールを、前記機能モジュールの前記認識に基づいて有効にするように構成される、請求項８に記載のハンドヘルド保守ツール。